(57)【要約】【課題】  より簡単に特別販売を行うことができる商品販売処理装置を提供する。【解決手段】  商品を登録して販売する商品販売処理装置であって、前記商品を登録する登録手段と、前記登録手段が登録した複数の商品をセットとして設定するセット設定手段と、前記セット設定手段により設定されたセットの販売価格を指定する販売価格指定手段とを備える。【選択図】図８
2019117468.tif 000002
【特許請求の範囲】
【請求項１】
顧客が購入する商品を登録して販売する商品販売処理装置であって、
前記商品を登録する登録手段と、
前記商品の登録操作中において、前記登録手段が登録した複数の商品をまとめ売りとして設定する特別販売設定手段と、
前記特別販売設定手段により設定されたまとめ売りの販売価格を指定する販売価格指定手段と
を備える商品販売処理装置。
【請求項２】
前記販売価格指定手段は、前記販売価格の設定を促す実行キーを備え、
前記特別販売設定手段は、前記実行キーが操作された以降に登録された複数の商品をまとめ売りとして設定する
請求項１に記載の商品販売処理装置。
【請求項３】
前記登録手段により登録された前記複数の商品を一覧表示させる表示手段を備え、
前記特別販売設定手段は、前記表示手段に表示された前記複数の商品から任意の商品を選択し、前記選択した商品を前記まとめ売りとして設定する
請求項１に記載の商品販売処理装置。
【請求項４】
前記販売価格指定手段は、前記登録手段により登録された複数の商品の合計金額から、前記登録された複数の商品のうちの一つもしくは複数の商品の金額を引いた額をまとめ売りの販売価格として指定する
請求項１に記載の商品販売処理装置。
【請求項５】
前記一つもしくは複数の商品を選択する選択手段を備える
請求項４に記載の商品販売処理装置。
【請求項６】
前記特別販売設定手段がまとめ売りとして設定した複数の商品の合計金額が、前記販売価格指定手段により指定されたまとめ売りの販売価格以下である場合には、前記まとめ売りの販売価格での販売を禁止する特別販売禁止手段を備える
請求項１ないし５のいずれかに記載の商品販売処理装置。
【請求項７】
販売する店員によって割り当てられた割引可能な割引率を記憶する割引率記憶手段を備え、
前記販売価格指定手段により指定されたまとめ売りの販売価格が、前記割引率記憶手段に記憶された割引率以上の割引である場合には、前記まとめ売りの販売金額での販売を禁止する特別販売禁止手段を備える
請求項１ないし６のいずれかに記載の商品販売処理装置。
【発明の詳細な説明】
【技術分野】
【０００１】
本発明は、量販店やスーパーマーケットなどの商品登録及び精算を行う商品販売処理装置に関する。
【背景技術】
【０００２】
量販店などの小売業では、複数の商品をまとめて購入する場合に、通常の価格とは異なる特別な価格で販売することがある。
【先行技術文献】
【特許文献】
【０００３】
【特許文献１】特開平１０−１２４７５７号公報
【発明の概要】
【発明が解決しようとする課題】
【０００４】
商品をまとめて販売する場合には予め価格が決まっておらず、購入する客との交渉によって、販売員の判断による通常の割引とは異なる特別な割引を適用して販売することがある。
【０００５】
上記特許文献１の商品販売装置においては、上記販売員の判断などによる特別な割引を想定しておらず、販売するたびに各商品の販売価格や割引率を計算してＰＯＳレジスタ等に打ち込んだりする必要があった。
【０００６】
本発明は、上記の事情を鑑み、より柔軟な販売を行うことができる商品販売処理装置を提供することを目的とする。
【課題を解決するための手段】
【０００７】
本発明の一実施形態は、商品を登録して販売する商品販売処理装置であって、前記商品を登録する登録手段と、前記登録手段が登録した複数の商品をセットとして設定するセット設定手段と、前記セット設定手段により設定されたセットの販売価格を指定する販売価格指定手段とを備える商品販売処理装置である。
【発明の効果】
【０００８】
本発明の実施形態によれば、より柔軟にまとめ売り等の特別販売を行うことができる商品販売処理装置を提供することができる。
【図面の簡単な説明】
【０００９】
【図１】（ａ）は、一実施形態のＰＯＳレジスタの機能ブロック図であり、（ｂ）は、ハード構造図である。
【図２】（ａ）は、本発明の一実施形態のＰＯＳレジスタの割引率テーブルの図であり、（ｂ）は、商品を登録した登録データ図である。
【図３】本発明の一実施形態のＰＯＳレジスタの商品登録画面の一例である。
【図４】本発明の一実施形態のＰＯＳレジスタの商品登録画面の一例である。
【図５】本発明の一実施形態のＰＯＳレジスタの商品登録画面の一例である。
【図６】本発明の一実施形態のＰＯＳレジスタの商品登録画面の一例である。
【図７】本発明の一実施形態のＰＯＳレジスタの商品登録画面の一例である。
【図８】本発明の一実施形態のＰＯＳレジスタの登録処理のフローチャートの一例である。
【図９】本発明の一実施形態のＰＯＳレジスタの商品登録画面の一例である。
【図１０】本発明の一実施形態のＰＯＳレジスタの商品登録画面の一例である。
【図１１】本発明の一実施形態のＰＯＳレジスタの商品登録画面の一例である。
【図１２】本発明の一実施形態のＰＯＳレジスタの登録処理のフローチャートの一例である。
【図１３】本発明の一実施形態のＰＯＳレジスタの商品登録画面の一例である。
【図１４】本発明の一実施形態のＰＯＳレジスタの商品登録画面の一例である。
【図１５】本発明の一実施形態のＰＯＳレジスタの商品登録画面の図である。
【図１６】（ａ）は、本発明の一実施形態のＰＯＳレジスタによって印刷されたレシートの一例であり、（ｂ）は、同電子ジャーナルの表示画面の一例である。
【図１７】本発明の一実施形態のＰＯＳレジスタの商品登録画面の一例である。
【図１８】本発明の一実施形態のＰＯＳレジスタの登録処理のフローチャートの一例である。
【図１９】本発明の一実施形態のＰＯＳレジスタの登録処理のフローチャートの一例である。
【発明を実施するための形態】
【００１０】
以下、図面を参照し、本発明の一実施形態について説明する。
本実施形態の商品販売処理装置は、図示しない上位サーバーなどの上位システムと連携することで、店舗における商品販売処理システムを構築している。なお、商品販売処理装置であるＰＯＳレジスタ単独で商品販売処理システムとして機能してもよい。
以下に説明する各実施形態においては、商品販売処理装置としてＰＯＳレジスタ２の例を用いて説明する。
【００１１】
本実施形態のＰＯＳレジスタ２は、量販店などの店舗において、顧客が購入する商品の登録処理をする。商品の登録は、例えば、店員がスキャナ等の入力手段によって商品に付されているバーコードを読み取る操作や表示手段に表示される商品登録画面に配置されたプリセットボタンに対する操作などにより行われる。
【００１２】
商品の登録によって、ＰＯＳレジスタ２は、購入する各商品の商品識別情報を入力し、入力した商品識別情報に対応する商品情報を取得して登録情報（精算情報）を生成する。そして、ＰＯＳレジスタ２は、生成した登録情報に基づいて決済処理を行うことで、顧客に対して前記商品を販売する。
【００１３】
ＰＯＳレジスタ２は、登録処理及び決済処理を行うための制御部を有しており、商品に付されているバーコードを読み取るスキャナ等の入力手段、タッチパネル等からなる表示手段、レシート等を印刷する印刷手段などを備えている。なお、タッチパネルからなる表示手段は、入力手段としても機能する。
【００１４】
また、本実施形態のＰＯＳレジスタ２は、商品等の価格を入力するための置数キー等の金額入力キーと、販売を実行するための小計キーを備えており、店員等がスキャナや置数キー等の入力手段によって商品を登録し、小計キーを操作することで、店員が登録した商品を確定して、合計金額を算出する。
【００１５】
そして、本実施形態のＰＯＳレジスタ２は、複数の商品の登録処理を行う際に、複数の商品のうちのいくつかもしくはすべてを一つのまとめとして設定する特別販売設定手段を備えている。
【００１６】
また、ＰＯＳレジスタ２は、前記特別販売設定手段によって一つのまとめとして設定された商品に対して通常販売による合計価格とは異なる特別価格を設定する販売価格指定手段を備えている。
ＰＯＳレジスタ２は、前記特別販売設定手段によってまとめとして設定された商品を、前記販売価格指定手段によって指定された特別価格によって、まとめ売り（特別販売）することができる。
【００１７】
(機能ブロック図)
本実施形態のＰＯＳレジスタ２の機能ブロック図を図１（ａ）に示す。本実施形態のＰＯＳレジスタ２は、該ＰＯＳレジスタ２を制御する、商品販売制御手段（登録手段）２０１と、特別販売設定手段２０２と、販売価格指定手段２０３と、特別販売禁止手段２０４と、を有し、記憶手段として、割引率記憶手段２１１等を有している。
そして、入力手段２２１、表示手段２２２、印刷手段２２３等を備えている。
【００１８】
前記商品販売制御手段２０１は、販売員等の操作によって入力手段２２１により入力された情報に基づいて顧客が購入する商品を登録して記憶したり、前記登録した商品の情報を表示手段２２２に表示したり、前記登録した商品の合計金額等の精算情報を算出したり、精算情報に基づいて決済処理を行うなど、ＰＯＳレジスタ２を総括して制御する。
【００１９】
特別販売設定手段２０２は、複数の商品をまとめ販売する時に、顧客が購入する複数の商品について、一つのまとめとして設定する。
販売価格指定手段２０３は、まとめ売り商品に対して、予め設定されている価格とは異なる特別な価格を指定する。
特別販売禁止手段２０４は、特別販売設定手段２０２によって設定された一つのまとめ商品が、販売価格指定手段２０３によって指定された販売価格によって販売されることが適切であるか否かを判断し、適切でないと判断した場合に、まとめ売り等の特別販売を禁止する。
【００２０】
割引率記憶手段２１１は、例えばＰＯＳレジスタ２を扱う販売員毎や季節のセール毎に許容された割引率を対応させた割引率テーブル４００等を記憶する。
割引率テーブルの一例として、販売員ＩＤと許容割引率（Ｋｎ）とを対応させて記憶する割引率テーブルを図２（ａ）に示す。
図２（ａ）に示す例では、ＰＯＳレジスタ２を扱う販売員ＩＤがＹ００１の店長は、３０％の割引率Ｋｎが設定されているのに対して、販売員ＩＤがＹ０１３の店員Ｃは、１５％の割引率Ｋｎが設定されている。
【００２１】
次に、本実施形態のＰＯＳレジスタ２のブロック図を図１（ｂ）に示す。    
本実施形態のＰＯＳレジスタ２は、ＣＰＵ２１、ＲＯＭ２２，ＲＡＭ２３、メモリ２４、ネットワークＩ／Ｆ３５、入力手段Ｉ／Ｆ３６、表示手段Ｉ／Ｆ３７などを有している。
【００２２】
ＣＰＵ２１は、ソフトウエアプログラムの命令を実行する。ＲＯＭ２２は、ＣＰＵ２１上で動作するためのプログラム等を予め記憶している。なお、プログラム等は、ＣＤ−ＲＯＭなどの可搬型記憶媒体に記憶させ、ＣＤ−ＲＯＭドライブなどの外部装置により読み取るように構成してもよい。
【００２３】
ＲＡＭ２３は、プログラムの記憶及びソフトウエアが動作するために必要なワーク記憶エリアとして使用される。
メモリ２４は、ハードディスク装置等から構成され商品マスタ等の情報を記憶している。
【００２４】
ネットワークＩ／Ｆ２５は、ネットワーク４０上に接続された手段とデータのやり取りを行うための回路である。
入力手段Ｉ／Ｆ２６は、バーコードスキャナ等の入力手段２２１との入出力を行うための回路である。
表示手段Ｉ／Ｆ２７は、タッチパネル等の表示手段２２２との入出力を行うための回路である。
【００２５】
以下、本発明の一実施形態のＰＯＳレジスタ２について、実際に使用する販売員ｎの作業に関連させて、さらに具体的に説明する。
【００２６】
まず、販売員ｎは、該商品の登録をするに先立って、ＰＯＳレジスタ２に自分のＩＤカードを読み取らせるなどして登録精算処理を行う販売員ＩＤをＰＯＳレジスタ２に入力する。販売員ＩＤが入力されることにより、商品販売制御手段２０１は、商品を登録するための商品登録画面５を表示手段２２２に表示する。
【００２７】
商品登録画面５の一例を図３に示す。商品登録画面５は、商品登録欄５０１、合計表示欄５０２、登録商品一覧欄５０３、小計キー５１１、特別販売キー５１２等を有している。
【００２８】
商品登録欄５０１は、販売員ｎにより登録された顧客が購入する商品のうち直近に登録された商品を表示する。合計表示欄５０２は、当該登録処理において登録された商品の点数及び合計金額Ｓを表示する。登録商品一覧欄５０３は、当該登録処理において入力された商品を一覧表示する。
【００２９】
販売員ｎによる商品の登録は、例えば、商品に添付されているバーコードや複数のタイヤ及びホイールが一覧で表示された一覧表に記載されたバーコードをバーコードリーダー等の入力手段２２１で読込んだり、タッチパネルの置数キー等の入力手段２２１により直接打ち込むことによって行う。
【００３０】
図３に示す例では、商品登録欄５０１に、直近で登録された「芳香剤」の商品名及び価格が表示されており、登録商品一覧欄５０３には、当該登録作業で登録された「ホイール」、「タイヤ」、「Ｐ（ピット）作業」、「バッテリー」及び「芳香剤」の商品名、単価、数量及び金額が一覧表示されている。合計表示欄５０２には、Ｐ（ピット）作業を含めた５点の購入で、合計４９，５９６円であることが表示されている。
【００３１】
図３に示す状態で、販売員ｎが小計キー５１１を操作することで、ＰＯＳレジスタ２は、当該登録処理において登録された商品についての登録を完了し、商品の合計金額を算出する。
【００３２】
ここで、顧客と販売員ｎとの交渉によって、図３に示す商品のうち、ホイール、タイヤ、Ｐ作業、バッテリーについて、通常の合計金額である４９，０００円とは異なる４０，０００円でまとめ売り（特別販売）することになったとする。本実施形態のＰＯＳレジスタ２は、そのような場合にまとめ売り（特別販売）を容易に登録することができる。
以下に、本実施形態のＰＯＳレジスタ２における、まとめ売り（特別販売）の登録処理について説明する。
【００３３】
（第１の実施形態）
本発明の第１の実施形態のＰＯＳレジスタ２は、まとめ売りを実行する実行キーとして特別販売キー５１２を操作することによって、その後に登録した商品についてひとつのまとめとして設定することで、まとめ売り（特別販売）の設定を容易に行うことができる。以下、説明する。
【００３４】
本実施形態のＰＯＳレジスタ２は、商品の登録に先立って、置数キー等の金額入力キーで特別販売する金額を入力した後に特別販売キー５１２を操作することによって、または、単に特別販売キー５１２を操作することで、表示手段２２２に特別販売価格指定ウインドウ６を表示する。特別販売価格指定ウインドウ６の一例を図４に示す。
【００３５】
特別販売価格指定ウインドウ６は、例えば商品登録画面５上にポップアップウインドウとして表示され、価格指定欄６０１と、確定キー６１１と、解除キー６１２を有している。  
図４に示す例では、特別販売する金額を入力した後に特別販売キー５１２を操作したことで、特別販売価格指定ウインドウ６の価格指定欄６０１に、販売員ｎが入力した特別販売する金額（４０，０００円）が表示されている。なお、価格指定欄６０１に表示された金額は、特別販売価格指定ウインドウ６において、修正できるようにしてもよい。
【００３６】
特別販売する金額を入力する前に特別販売キー５１２を操作した場合には、価格指定欄６０１に金額を入力することができるように表示される。
なお、販売員が先に金額を入力しないで特別販売キー５１２を操作すると「金額を入力してください。」等のエラー表示を行うようにしてもよい。
【００３７】
価格指定欄６０１に金額が表示された状態で販売員が確定キー６１１を操作すると、ＰＯＳレジスタ２は、価格指定欄６０１に入力された金額を特別販売価格Ｍとして指定する。
そして、特別販売価格指定ウインドウ６を閉じるとともに、表示手段２２２に、まとめ売り（特別販売）による商品登録画面５を表示する。
【００３８】
なお、販売員が解除キー６１２を操作することでＰＯＳレジスタ２は、特別販売価格指定ウインドウ６を閉じて、まとめ売り（特別販売）による商品の登録を中止する。
前記のまとめ売り（特別販売）による商品登録画面５の一例を図５に示す。
【００３９】
該商品登録画面５は、通常の商品登録画面とほぼ同様であり、商品登録欄５０１、合計表示欄５０２、登録商品一覧欄５０３を有する。画面上方位置に当該登録画面がまとめ売り（特別販売）による商品登録画面５であることを示す「まとめ売り（特別販売）登録中」等の表示５ａ等をしてもよい。
まとめ売り（特別販売）による商品の登録は、通常の商品の登録と同様に商品に添付されたバーコードを読み取ることなどによって行うことができる。
そして、まとめ売り（特別販売）の対象として設定された商品の登録商品一覧欄５０３には「（まとめ商品）」等の表示５０３ａをするなどで、登録された商品がまとめ売り（特別販売）の対象商品であることが分かるように表示してもよい。
【００４０】
なお、図５に示す例では、商品登録欄５０１、合計表示欄５０２、登録商品一覧欄５０３に通常の販売金額が表示されているが、まとめ売りである場合には金額等は表示されなくてもよいし、登録商品一覧欄５０３には価格は表示せずに合計表示欄５０２に指定した特別販売価格Ｍのみを表示してもよい。
【００４１】
販売員ｎがまとめ売り（特別販売）の対象となる商品を登録した後に、再度、特別販売キー５１２を操作すると、ＰＯＳレジスタ２は、前回、商品登録画面５の特別販売キー５１２が操作されてから、今回商品登録画面５の特別販売キー５１２が再度操作されるまでの間に登録された商品について、一つのまとめ売り（特別販売）対象商品として設定する。一つのまとめ売り（特別販売）対象商品を登録した商品登録画面５の一例を図６に示す。
【００４２】
図６に示す例では、登録商品一覧欄５０３に、まとめ売り（特別販売）対象商品として設定した商品が、まとめ販売１（５０３ｂ）としてまとめられており、まとめ販売１の金額が４０，０００円であることが、表示されている。
【００４３】
ここで、販売員ｎが小計キー５１１を操作することにより、まとめ販売１（５０３ｂ）についての登録を完了して、一取引の合計金額（40,000円）を確定することもできるが、さらに他の商品を登録することもできる。
まとめ販売１と通常の商品を登録した商品登録画面５の一例を図７に示す。
図７に示す例では、登録商品一覧欄５０３に、まとめ売り（特別販売）対象商品として設定したまとめ販売１（５０３ｂ）と通常の商品である芳香剤５０３ｃが併せて登録されている。  
【００４４】
そして、ここで、販売員ｎが小計キー５１１を操作することにより、ＰＯＳレジスタ２は、まとめ売り（特別販売）の対象商品を含めて、顧客が購入する商品の登録を完了して、合計金額を算出する。
その後、販売員ｎが顧客からお金を受け取り、顧客から受け取った金額を入力するとともに、現計キーを操作することで、ＰＯＳレジスタ２は、お釣りを算出するなど精算処理を実行する。
なお、上記の小計キーや現計キーは、図示しない機械式キーでもよい。また、上記精算処理は、現金による精算処理に限らない。
【００４５】
なお、ＰＯＳレジスタ２は、例えば、まとめ売り（特別販売）対象商品の通常価格の合計金額Ｓが、入力した特別販売価格Ｍに満たない状態で、販売員ｎが再度、特別販売キー５１２を操作された場合、すなわち通常価格よりも特別販売価格Ｍよりの方が高い場合など、不適切な特別販売の設定が成された場合には、「お買い上げ内容を確認してください。」等のエラーを報知するなどして、特別価格による販売を禁止することが好ましい。
これによって、顧客に不利益となる特別販売を防止することができる。
【００４６】
次に、本実施形態のＰＯＳレジスタ２における処理を、図８のフローチャートを用いて説明する。
【００４７】
ステップs101において、ＰＯＳレジスタ２は、販売員ｎによって商品登録画面５等の特別販売キー５１２が操作されたか、特別販売キー５１２が操作されることなく商品の登録操作がなされたか否かを判断する。
ＰＯＳレジスタ２は、特別販売キー５１２が操作されたと判断した場合には、まとめ売り（特別販売）による特別販売価格Ｍを指定するとともに、特別販売フラグｆに「１」を代入する（ステップs102）。
【００４８】
具体的には、ＰＯＳレジスタ２は、表示手段２１２に特別販売価格指定ウインドウ６を表示して、販売員ｎに特別販売価格の入力を促す。なお、特別販売キー５１２が操作される前に金額の入力操作がされていれば、該入力された金額を特別販売価格指定ウインドウ６の価格指定欄６０１に表示して、確認を促すようにしてもよい。
販売員ｎによって、特別販売価格指定ウインドウ６の価格指定欄６０１に金額が入力され、確定キー６１１が操作されたら、ＰＯＳレジスタ２は、入力された金額を特別販売価格Ｍとして指定し、特別販売販売フラグｆに「１」を代入する。
【００４９】
一方、ステップs101において、ＰＯＳレジスタ２は、特別販売キー５１２が操作されずに商品の登録がなされたと判断したら、ステップs103に進み、商品登録画面５を表示して商品の登録処理を行う。
【００５０】
ステップs102において、ＰＯＳレジスタ２は、特別販売価格Ｍを指定するとともに、特別販売フラグｆに「１」を代入したら、ステップs103に進み、まとめ売り（特別販売）による商品登録画面５を表示して商品の登録処理を行う。
【００５１】
ＰＯＳレジスタ２は、ステップs103で、販売員ｎ等により商品が登録される毎に特別販売フラグｆに「１」が代入されているか否か、すなわちまとめ売り（特別販売）による商品登録であるか否かを判断し(ステップs104)、特別販売フラグｆに「１」が代入されていると判断すれば、ステップs105に進んで、販売員ｎ等によって特別販売キー５１２の再操作がなされたか否かを判断する。
【００５２】
ＰＯＳレジスタ２は、ステップs105で、特別販売キー５１２の再操作がなされたと判断したら、ステップs106に進み、前回商品登録画面５等の特別販売キー５１２が操作されてから、今回特別販売キー５１２が再操作されるまでに登録された商品をまとめ売り（特別販売）の対象商品として設定し、それらの商品の通常価格での合計金額Ｓを算出する。
【００５３】
一方、ステップs105で、特別販売キー５１２の再操作がなされていないと判断したら、ＰＯＳレジスタ２は、ステップs103に戻って、販売員ｎ等によって特別販売キー５１２の再操作がなされるまで、商品の登録を続ける。
【００５４】
戻ってステップs104において、ＰＯＳレジスタ２は、特別販売フラグｆに「１」が代入されていないと判断したら、ステップs103における商品の登録は通常の商品の登録処理であるので、ステップs109に進んで、販売員ｎによって小計キーの操作がなされたか否かを判断する。
【００５５】
ステップs106において、まとめ売り（特別販売）の対象商品を設定し、それらの商品の通常価格での合計金額Ｓを算出したＰＯＳレジスタ２は、今回のまとめ売り（特別販売）が、適切な販売であるか否かを判断して、適切な特別販売でない場合にその旨を報知もしくは特別販売を禁止する（ステップs107）。
例えば、ＰＯＳレジスタ２は、指定した特別販売価格Ｍが前記合計金額Ｓ以下であるか否かを判断し、前記特別販売価格Ｍが前記合計金額Ｓ以下であれば、今回のまとめ売り（特別販売）が適切な販売であると判断し、前記特別販売価格Ｍが前記合計金額Ｓ以上であれば、今回のまとめ売り（特別販売）が不適切な販売であると判断し、その旨報知する。
【００５６】
ステップs107において、まとめ売り（特別販売）が適切であると判断したＰＯＳレジスタ２は、ステップs108に進み、特別販売による登録処理を完了し、特別販売フラグｆの「１」を「０」にリセットする。
【００５７】
まとめ売り（特別販売）による登録処理を完了したら、ＰＯＳレジスタ２は、ステップs109に進んで、販売員ｎによって小計キーの操作がなされたか否かを判断する。
【００５８】
ステップs109において、ＰＯＳレジスタ２は、販売員ｎによって小計キー５１１の操作がされたと判断したら、ステップs110に進んで、一取引における商品の登録を完了し、登録した商品の合計金額を算出する。その後、現計キー等の操作によって顧客から受け取った現金やクレジットカード等の決済手段に応じた決済処理を行い、処理を終了する。
一方、小計キー５１１の操作がなされていないと判断したら、ステップs101に戻って、商品の登録を繰り返す。
【００５９】
以上のように、本実施形態のＰＯＳレジスタ２においては、販売員ｎの判断等による任意の商品に対する任意の価格でのまとめ売り（特別販売）を、実行キーとしての特別販売キー５１２の単純な操作によって簡単に行うことができ、顧客の要望に対して柔軟に、効率的に対応することができる。
【００６０】
（第２の実施形態）
上記第１の実施形態においては、特別販売キー５１２を操作した後に登録した商品について一つのまとめ売り（特別販売）の対象商品として設定しているが、第２の実施形態のＰＯＳレジスタ２においては、商品登録画面５において通常に登録された複数の商品のうちから、任意の商品を一つのまとめ売り（特別販売）の対象商品として設定できるようにまとめ売り（特別販売）の対象商品を選択する選択手段を備えている。以下、説明する。
【００６１】
本実施形態のＰＯＳレジスタ２は、複数の商品が登録された通常の商品登録画面５において、販売員ｎが特別販売キー５１２を操作することで、商品登録画面５の登録商品一覧欄５０３に表示された各商品名に、まとめ売り（特別販売）の対象商品として設定するための選択ボックス５０３ｄを表示する。選択ボックス５０３ｄが表示された商品登録画面５の一例を図９に示す。
【００６２】
そして、販売員ｎが、登録商品一覧欄５０３に表示された商品の中から一つのまとめ売り（特別販売）の対象として設定したい商品の選択ボックス５０３ｄにチェックを入れて、特別販売キー５１２を再度操作すると、ＰＯＳレジスタ２は、選択ボックス５０３ｄにチェックの入った商品をまとめ売り（特別販売）の対象商品として設定すると共に、まとめ売り（特別販売）の対象商品の通常価格での合計金額Ｓを算出する。
そして、ＰＯＳレジスタ２は、表示手段２２２に、特別販売価格指定ウインドウ６を表示する。特別販売価格指定ウインドウ６が表示された商品登録画面５を図１０に示す。
【００６３】
販売員ｎが、特別販売価格指定ウインドウ６の価格指定欄６０１に置数キー等の金額入力キーによって特別販売する金額を入力した後に確定キー６１１を操作すると、ＰＯＳレジスタ２は、価格指定欄６０１に入力された金額をまとめ売り（特別販売）の特別販売価格Ｍとして指定する。そして、特別販売価格指定ウインドウ６を閉じる。
【００６４】
なお、販売員ｎ等が金額を置数しないで確定キー６１１を操作すると「金額を入力して下さい。」等のエラー表示がされるようにしてもよい。また、販売員等が解除キー６１２を操作すると、ＰＯＳレジスタ２は、まとめ売り（特別販売）の対象商品の設定を中止する。
【００６５】
なお、第１の実施形態と同様に、ＰＯＳレジスタ２は、例えば、まとめ売り（特別販売）について、不適切な特別販売の設定が成された場合には特別価格による販売を禁止することが好ましい。
【００６６】
そして、ＰＯＳレジスタ２は、商品登録画面５において、今回、まとめ売り（特別販売）の対象商品として設定された複数の商品についての価格を変更して、全ての商品の合計金額等を再計算するとともに、商品登録画面５の合計表示欄５０２等の表示を、変更する。変更した商品登録画面５を図１１に示す。
【００６７】
図１１に示す商品登録画面５においては、登録商品一覧欄５０３において、まとめ売り（特別販売）対象商品として選択した商品がまとめ販売１（５０３ｂ）としてまとめられており、合計表示欄５０２には、特別販売価格Ｍの４０，０００円とセット商品以外の芳香剤の価格５９６円を合計した４０，５９６円が表示されている。なお、この商品登録画面５は、図７に示す第１の実施形態のＰＯＳレジスタ２で表示される商品登録画面５と概ね同じ画面である。
【００６８】
その後、販売員ｎが小計キー５１１を操作することにより、ＰＯＳレジスタ２は、まとめ売り（特別販売）の対象商品を含めて、顧客が購入する商品の登録を完了して、合計金額を算出する。
その後の精算処理については、上記の実施形態と同様である。
【００６９】
なお、本実施形態において、販売員ｎが小計キー５１１を操作することで登録された商品登録データを図２（ｂ）に示す。
商品登録データは、品番、商品名、単価、数量、まとめフラグ等の項目を有しており、まとめ売り（特別販売）の対象商品であることをまとめフラグによって管理している。
品番０００１のホイール、品番０００２のタイヤ及び品番０００３のＰ作業については、まとめフラグに１が代入されており、それらがまとめ売り（特別販売）の対象商品であることが設定されている。
【００７０】
次に、本実施形態のＰＯＳレジスタ２における処理を、図１２のフローチャートを用いて説明する。
【００７１】
ステップs201において、ＰＯＳレジスタ２は、商品登録画面５における販売員ｎ等の操作に応じて、商品の登録を行う。ＰＯＳレジスタ２は、ステップs201で商品の登録を行う毎に、ステップs202に進み、特別販売キー５１２が操作されたか否かを判断する。
ＰＯＳレジスタ２は、特別販売キー５１２が操作されたと判断した場合には、商品登録画面５に選択ボックス５０３ｂを表示して、ステップs201において登録した商品の中からまとめ売り（特別販売）の対象とする商品の選択を促す（ステップs203）。
【００７２】
一方、ステップs202において、ＰＯＳレジスタ２は、特別販売キー５１２が操作されていないと判断したら、ステップs208に進み、小計キーが操作されたか否かの判断を行う。
【００７３】
ＰＯＳレジスタ２は、ステップs203で、販売員ｎ等により選択ボックス５０３ｂにチェックが入れられ、商品の選択がなされる毎に、ステップs204に進んで、販売員ｎ等によって特別販売キー５１２の再操作がなされたか否かを判断する。
ＰＯＳレジスタ２は、販売員ｎ等によって特別販売キー５１２の再操作がなされていないと判断したら、ステップs203に戻り、販売員ｎ等によって特別販売キー５１２の再操作がなされるまで、まとめ売り（特別販売）の対象とする商品の選択を繰り返す。
【００７４】
一方、ＰＯＳレジスタ２は、ステップs204で、特別販売キー５１２の再操作がなされたと判断したら、ステップs205に進み、販売員ｎ等により選択ボックス５０３ｂにチェックが入れられて選択された商品をまとめ売り（特別販売）の対象商品として設定し、それらの商品の通常価格での合計金額Ｓを算出する。
【００７５】
ステップs206において、ＰＯＳレジスタ２は、表示手段２２２に特別販売価格指定ウインドウ６を表示するなどして、販売員ｎに対して今回のまとめ売り（特別販売）の販売価格の入力を促し、販売員ｎによって入力された入力金額を特別販売価格Ｍとして指定する。
【００７６】
ステップs205において、まとめ売り（特別販売）の対象商品を設定し、それらの商品の通常価格での合計金額Ｓを算出し、ステップs206において、特別販売価格Ｍを指定したＰＯＳレジスタ２は、今回のまとめ売り（特別販売）が、適切な販売であるか否かを判断し、適切な販売出ない場合には、当該特別販売を禁止する（ステップs207）。
【００７７】
ステップs207において、まとめ売り（特別販売）が適切であると判断したＰＯＳレジスタ２は、特別販売による登録処理を完了し、ステップs208に進んで、販売員ｎによって小計キーの操作がなされたか否かを判断する。
【００７８】
ステップs208において、ＰＯＳレジスタ２は、販売員ｎによって小計キー５１１の操作がされたと判断したら、ステップs209に進んで、一取引における商品の登録を完了し、登録した商品の合計金額を算出する。その後、現計キー等の操作によって顧客から受け取った現金やクレジットカード等の決済手段に応じた決済処理を行い、処理を終了する。
一方、小計キー５１１の操作がなされていないと判断したら、ステップs201に戻って、商品の登録を繰り返す。
【００７９】
以上、本実施形態のＰＯＳレジスタ２によれば、購入する商品の登録を行った後であってもまとめ売り（特別販売）の対象商品を設定することができ、特別販売とする商品と特別販売としない商品を併せて購入する場合などにも効率的にまとめ売り（特別販売）の登録設定を行うことができる。
【００８０】
（第３の実施形態）
本発明の第３の実施形態のＰＯＳレジスタ２は、例えば、タイヤとホイールを購入して店舗のピット等において取付作業を依頼される顧客に対して、ピット作業の工賃をサービスするなどの特別販売に対応したものである。以下、説明する。
【００８１】
本実施形態のＰＯＳレジスタ２は、商品の登録に先立って、販売員ｎが商品登録画面５の特別販売（Ｐ作業）キー５１２を操作することによって、表示手段２２２に、Ｐ作業サービス（特別販売）の商品登録画面５を表示する。
Ｐ作業サービス（特別販売）の商品登録画面５の一例を図１３に示す。
【００８２】
Ｐ作業サービス（特別販売）の商品登録画面５は、通常の商品登録画面５とほぼ同様に、商品登録欄５０１、合計表示欄５０２、登録商品一覧欄５０３、小計キー５１１、特別販売（Ｐ作業）キー５１２を有しており、商品登録欄５０１及び登録商品一覧欄５０３にピット（Ｐ）作業が売価０円の商品として登録されている。なお、このとき画面上方位置に当該登録画面がＰ作業サービス（特別販売）による商品登録画面５であることを示す「Ｐ作業サービス（特別販売）登録中」等の表示５ａ等をしてもよいが、表示５ａ等をせずに通常の商品登録画面５であってもよい。
【００８３】
Ｐ作業サービス（特別販売）による商品の登録は、通常の商品の登録と同様に商品に添付されたバーコードを読み取ることなどによって行うことができる。
そして、ＰＯＳレジスタ２は、Ｐ作業サービス（特別販売）の対象として登録された商品について、図１４に示すように、商品登録欄５０１及び登録商品一覧欄５０３に表示される商品名称の前に「Ｐ」の文字５０３ｅを表示することなどで、登録された商品がＰ作業サービス（特別販売）の対象商品であることが分かるように表示してもよい。
【００８４】
Ｐ作業サービス（特別販売）の商品の設定した後に、販売員ｎが再び特別販売（Ｐ作業）キー５１２を操作すると、ＰＯＳレジスタ２は、前回、商品登録画面５の特別販売（Ｐ作業）キー５１２が操作されてから、今回商品登録画面５の特別販売（Ｐ作業）キー５１２が再度操作されるまでの間に登録された商品について、売価０円のピット作業を含めてＰ作業サービス（特別販売）対象商品として設定するとともに、前記設定した商品の通常価格を合計して特別販売価格Ｍとして指定する。
【００８５】
その後、販売員ｎが、小計キー５１１を操作することで、ＰＯＳレジスタ２は、Ｐ作業サービス（特別販売）の対象商品の特別販売価格Ｍと他の登録商品の価格とを合計して一取引の合計金額を算出する。その後の精算処理については、上記の実施形態と同様である。
【００８６】
なお、本実施形態においては、Ｐ作業サービス（特別販売）対象商品として設定した商品を、ピット作業の売価は０円として、その合計金額を特別販売価格Ｍとして指定しているので、不適切な特別販売が生じることは少ないが、本実施形態においても、必要に応じて、特別販売の禁止処理を設けることができる。
【００８７】
次に、本実施形態のＰＯＳレジスタ２における処理を、図１５のフローチャートを用いて説明する。
【００８８】
ステップs301において、ＰＯＳレジスタ２は、販売員ｎによって商品登録画面５等の特別販売（Ｐ作業）キー５１２が操作されたか、特別販売（Ｐ作業）キー５１２が操作されることなく商品の登録操作がなされたか否かを判断する。
ＰＯＳレジスタ２は、特別販売（Ｐ作業）キー５１２が操作されたと判断した場合には、ピット作業を売価０円で登録するとともに、特別販売フラグｆに「１」を代入する（ステップs302）。
【００８９】
一方、ステップs301において、ＰＯＳレジスタ２は、特別販売（Ｐ作業）キー５１２が操作されずに商品の登録がなされたと判断したら、ステップs303に進み、商品の登録処理を行う。
【００９０】
ステップs302において、ＰＯＳレジスタ２は、特別販売フラグｆに「１」を代入したら、ステップs303に進み、商品の登録処理を行う。
【００９１】
ステップs303において、ＰＯＳレジスタ２は、販売員ｎ等により商品が登録される毎に特別販売フラグｆに「１」が代入されているか否かを判断し(ステップs304)、特別販売フラグｆに「１」が代入されていると判断すれば、ステップs305に進んで、販売員ｎ等によって特別販売（Ｐ作業）キー５１２の再操作がなされたか否かを判断する。
【００９２】
ＰＯＳレジスタ２は、ステップs305で、特別販売（Ｐ作業）キー５１２の再操作がなされたと判断したら、ステップs306に進み、前回商品登録画面５等の特別販売（Ｐ作業）キー５１２が操作されてから、今回特別販売（Ｐ作業）キー５１２が再操作されるまでに登録された商品をＰ作業サービス（特別販売）の対象商品として設定し、ピット作業を売価０円として他の各商品の通常価格での合計金額を特別販売価格Ｍに指定する。
【００９３】
一方、ステップs305で、特別販売（Ｐ作業）キー５１２の再操作がなされていないと判断したら、ＰＯＳレジスタ２は、ステップs303に戻って、販売員ｎ等によって特別販売（Ｐ作業）キー５１２の再操作がなされるまで、商品の登録を続ける。
【００９４】
戻ってステップs304において、ＰＯＳレジスタ２は、特別販売フラグｆに「１」が代入されていないと判断したら、ステップs303における商品の登録は通常の商品の登録処理であるので、ステップs307に進んで、販売員ｎによって小計キーの操作がなされたか否かを判断する。
【００９５】
ステップs306において、Ｐ作業サービス（特別販売）の対象商品を設定を完了し、特別販売価格Ｍを指定したＰＯＳレジスタ２は、ステップs307に進んで、販売員ｎによって小計キーの操作がなされたか否かを判断する。
【００９６】
ステップs307において、ＰＯＳレジスタ２は、販売員ｎによって小計キー５１１の操作がされたと判断したら、ステップs308に進んで、一取引における商品の登録を完了し、登録した商品の合計金額を算出する。その後、現計キー等の操作によって顧客から受け取った現金やクレジットカード等の決済手段に応じた決済処理を行い、処理を終了する。
一方、小計キー５１１の操作がなされていないと判断したら、ステップs301に戻って、商品の登録を繰り返す。
【００９７】
ここで、本実施形態のＰＯＳレジスタ２において出力されるレシート５００の一例を図１６（ａ）に示し、電子ジャーナルの表示６００の一例を図１６（ｂ）に示す。
レシートには、商品の分類コードの前に「Ｐ」の文５００ａ字が印刷されており、電子ジャーナルでは、商品名の前に「Ｐ」の文字６００ａが印刷されている。
【００９８】
なお、本実施形態のＰＯＳレジスタ２のＰ作業サービス（特別販売）は、工賃をサービスする際だけでなく、例えば、洋服の直しをサービスしたり、商品のラッピングをサービスしたりするなど、商品に付随したものをサービスする時に用いることができる。
【００９９】
本実施形態のＰＯＳレジスタ２によれば、タイヤとホイールを購入した際のタイヤ交換等のピット作業の工賃、洋服店における直し、商品のラッピング等の商品の付属的なものについて、簡単な操作でサービスとして設定することができる。また、工賃等がサービスされていることをレシート等に示すことで、顧客に対して特別販売であることを印象付けることができる。
【０１００】
（第４の実施形態）
第４の実施形態のＰＯＳレジスタ２は、例えば、ゴルフのアイアンを４本購入した顧客に対して、その中の１本をおまけする（４本のゴルフクラブを３本分の金額で販売する）などの特別販売に対応したものである。以下、説明する。
【０１０１】
本実施形態のＰＯＳレジスタ２は、商品の登録に先立って、販売員ｎが商品登録画面５の特別販売（おまけ）キー５１２を操作することによって、表示手段２２２に、おまけ販売（特別販売）の商品登録画面５を表示する。おまけ販売（特別販売）の商品登録画面５の一例を、図１７に示す。
【０１０２】
おまけ販売（特別販売）の商品登録画面５は、通常の商品登録画面５とほぼ同様であり、商品登録欄５０１、合計表示欄５０２、登録商品一覧欄５０３、小計キー５１１、特別販売（おまけ）キー５１２を有するが、登録商品一覧欄５０３に表示される商品の前位置に、当該商品をおまけ商品として設定する選択ボックス５０３ｆが表示されており、販売員ｎの操作により選択（チェック）可能となっている。
【０１０３】
販売員ｎは、商品登録画面５において、おまけ販売（特別販売）を行う商品を登録するとともに、登録した商品のなかからおまけ商品として設定する一つもしくはいくつかの商品の選択ボックス５０３ｆにチェックを入れて、おまけ商品を選択する。
おまけ販売（特別販売）を行う商品の登録およびおまけとする商品の選択が完了したら、再度、特別販売（おまけ）キー５１２を操作する。
ＰＯＳレジスタ２は、前回、特別販売（おまけ）キー５１２が操作されてから、今回、特別販売（おまけ）キー５１２が再操作されるまでの間に登録された商品について、一つのおまけ販売（特別販売）の対象商品として設定するとともに、おまけ商品として設定した商品の売価を０円としてすべての商品の通常価格を合計して特別販売価格Ｍとして指定する。
【０１０４】
そして、販売員ｎが小計キー５１１を操作することにより、ＰＯＳレジスタ２は、おまけ販売（特別販売）の対象商品を含めて、顧客が購入する商品の登録を完了して、合計金額を算出する
その後、販売員ｎが顧客からお金を受け取り、顧客から受け取った金額を入力するとともに、現計キーを操作することで、ＰＯＳレジスタ２は、お釣りを算出するなど精算処理を実行する。
【０１０５】
次に、本実施形態のＰＯＳレジスタ２における処理を、図１８のフローチャートを用いて説明する。
【０１０６】
ステップs401において、ＰＯＳレジスタ２は、販売員ｎによって商品登録画面５等の特別販売（おまけ）キー５１２が操作されたか、特別販売（おまけ）キー５１２が操作されることなく商品の登録操作がなされたか否かを判断する。
ＰＯＳレジスタ２は、特別販売（Ｐ作業）キー５１２が操作されたと判断した場合には、特別販売フラグｆに「１」を代入する（ステップs402）。
【０１０７】
一方、ステップs401において、ＰＯＳレジスタ２は、特別販売（おまけ）キー５１２が操作されずに商品の登録がなされたと判断したら、ステップs403に進み、商品の登録処理を行う。
【０１０８】
ステップs402において、ＰＯＳレジスタ２は、特別販売フラグｆに「１」を代入したら、ステップs403に進み、販売員ｎの操作にしたがって、商品の登録処理及びおまけ商品の選択処理を行う。
【０１０９】
ステップs403において、ＰＯＳレジスタ２は、商品の登録処理もしくはおまけ商品の選択処理をする毎に特別販売フラグｆに「１」が代入されているか否かを判断し(ステップs404)、特別販売フラグｆに「１」が代入されていると判断すれば、ステップs405に進んで、販売員ｎ等によって特別販売（おまけ）キー５１２の再操作がなされたか否かを判断する。
【０１１０】
ＰＯＳレジスタ２は、ステップs405で、特別販売（おまけ）キー５１２の再操作がなされたと判断したら、ステップs406に進み、前回商品登録画面５等の特別販売（おまけ）キー５１２が操作されてから、今回特別販売（おまけ）キー５１２が再操作されるまでに登録された商品をおまけ販売（特別販売）の対象商品として設定し、おまけ商品として選択された商品の売価０円としてすべての商品の通常価格での合計金額を特別販売価格Ｍとして指定する。
【０１１１】
一方、ステップs405で、特別販売（おまけ）キー５１２の再操作がなされていないと判断したら、ＰＯＳレジスタ２は、ステップs403に戻って、販売員ｎ等によって特別販売（おまけ）キー５１２の再操作がなされるまで、商品の登録を続ける。
【０１１２】
戻ってステップs404において、ＰＯＳレジスタ２は、特別販売フラグｆに「１」が代入されていないと判断したら、ステップs403における商品の登録は通常の商品の登録処理であるので、ステップs407に進んで、販売員ｎによって小計キーの操作がなされたか否かを判断する。
【０１１３】
ステップs406において、おまけ販売（特別販売）の対象商品を設定を完了し、特別販売価格Ｍを指定した、ＰＯＳレジスタ２は、ステップs407に進んで、販売員ｎによって小計キーの操作がなされたか否かを判断する。
【０１１４】
ステップs407において、ＰＯＳレジスタ２は、販売員ｎによって小計キー５１１の操作がされたと判断したら、ステップs408に進んで、一取引における商品の登録を完了し、登録した商品の合計金額を算出する。
一方、小計キー５１１の操作がなされていないと判断したら、ステップs101に戻って、商品の登録を繰り返す。
その後、現計キー等の操作によって顧客から受け取った現金やクレジットカード等の決済手段に応じた決済処理を行い、処理を終了する。
【０１１５】
本実施形態のＰＯＳレジスタ２によれば、購入を希望する商品として登録した商品のなかから、任意の商品について、おまけ商品として売価０円での登録を可能とすることができ、より柔軟な特別販売を設定することができる。
また、商品がおまけされていることをレシート等に示すことで、顧客に対して特別販売であることを印象付けることができる。
【０１１６】
以上、図面を参考に、第１ないし第４の実施形態について、説明した。ここで、第１の実施形態のＰＯＳレジスタ２において、不適切な特別販売を設定した場合に、特別販売を禁止してもよいことを記載したが、特別販売の禁止の条件は、上記の通常価格よりも特別販売価格Ｍよりの方が高い場合に限るものではない。
【０１１７】
例えば、入力した特別販売価格Ｍをまとめとして登録された商品の通常価格の合計金額Ｓで割った値が、所定の割引率以下である場合、例えば特別価格による販売が粗利を得られない原価以下での販売となる場合にも、エラー報知するなどして、特別販売を禁止することが好ましい。
【０１１８】
また、例えば、販売員ごとに、販売員の判断によって許される割引率Ｋｎを決めておき、入力した特別販売価格Ｍをまとめとして登録された商品の通常価格の合計金額Ｓで割った値が、割引率Ｋｎによる割引以上の割引となる場合には、特別販売を禁止するようにしてもよい。このようにすることで、経験不足等を原因とした過剰な値引き等を防止することができる。
【０１１９】
以下に、特別販売を禁止する例として、販売員ｎごとに許容割引率Ｋｎが設定されており、許容割引率Ｋｎ以上の割引率となった場合に、特別販売を禁止する実施形態について、さらに図１９のフローチャートを参考にして説明する。
【０１２０】
本実施形態のＰＯＳレジスタ２は、まず、販売員ｎによる販売員ＩＤの入力があるまで待機している（ステップs501）。
【０１２１】
販売員ｎによって販売員ＩＤの入力がされたら、ＰＯＳレジスタ２は、割引率記憶手段２１１に記憶された割引率テーブル４００から、入力された販売員ＩＤに対応する割引率Ｋｎを取得する（ステップs502）。
【０１２２】
次に、ＰＯＳレジスタ２は、、販売員ｎによって特別販売キー５１２が操作されたか否かを判断する(ステップs503）。
特別販売キー５１２が操作されたと判断した場合には、特別販売価格指定ウインドウ６を表示して、販売員ｎに特別販売価格Ｍの入力を促す(ステップs504)。
ステップs504において、販売員ｎによって特別販売価格指定ウインドウ６の価格指定欄６０１に金額が入力され、確定キーが操作されたら、、ＰＯＳレジスタ２は、特別販売フラグｆに「１」を代入するとともに、前記入力された金額を特別販売価格Ｍとして指定する。
【０１２３】
一方、ステップs503において、ＰＯＳレジスタ２は、特別販売キー５１２が操作されていないと判断した場合には、ステップs504をスキップして、ステップs505に進む。
【０１２４】
その後、ステップs505において、ＰＯＳレジスタ２は、販売員ｎによって入力された顧客が購入する商品を順次登録する。
【０１２５】
ＰＯＳレジスタ２は、販売員ｎ等により商品が登録される毎に特別販売フラグｆに「１」が代入されているか否か、すなわちまとめ売り（特別販売）による商品登録であるか否かを判断し(ステップs506)、特別販売フラグｆに「１」が代入されていると判断すれば、ステップs507に進んで、販売員ｎ等によって特別販売キー５１２の再操作がなされたか否かを判断する。
【０１２６】
ＰＯＳレジスタ２は、ステップs507で、特別販売キー５１２の再操作がなされたと判断したら、ステップs508に進み、前回商品登録画面５等の特別販売キー５１２が操作されてから、今回特別販売キー５１２が再操作されるまでに登録された商品をまとめ売り（特別販売）の対象商品として設定し、それらの商品の通常価格での合計金額Ｓを算出する。
【０１２７】
一方、ステップs507で、特別販売キー５１２の再操作がなされていないと判断したら、ＰＯＳレジスタ２は、ステップs505に戻って、販売員ｎ等によって特別販売キー５１２の再操作がなされるまで、商品の登録を続ける。
【０１２８】
戻ってステップs506において、ＰＯＳレジスタ２は、特別販売フラグｆに「１」が代入されていないと判断したら、ステップs505における商品の登録は通常の商品の登録処理であるので、ステップs512に進んで、販売員ｎによって小計キーの操作がなされたか否かを判断する。
【０１２９】
ステップs508において、まとめ売り（特別販売）の対象商品を設定し、それらの商品の通常価格での合計金額Ｓを算出したＰＯＳレジスタ２は、ステップs509に進んで、指定した特別販売価格Ｍが前記合計金額Ｓ以下であるか否かを判断する。
前記特別販売価格Ｍが前記合計金額Ｓ以下であると判断すれば、ステップs510に進む。
一方、前記特別販売価格Ｍが前記合計金額Ｓ以下でないと判断すれば、ステップs514に進み今回の特別販売は、不適当なものとして、販売を禁止し、その旨報知する。
【０１３０】
ステップs510において、ＰＯＳレジスタ２は、前記特別販売価格Ｍを前記合計金額Ｓで除算した値Ｍ／Ｓを１００（％）から引いた値（１００−Ｍ／Ｓ）が、ステップs502において取得した割引率Ｋｎ以下であるか否かを判断する。 
値（１００−Ｍ／Ｓ）が、割引率Ｋｎ以下であれば、ステップＳ511に進み、特別販売による商品登録を完了し、特別販売フラグに０を代入してリセットする。
一方、値（１００−Ｍ／Ｓ）が、割引率Ｋｎ以上であれば、ステップs514に進み今回の特別販売は、不適当なものとして、販売を禁止し、その旨報知する。
【０１３１】
ステップs511で、特別販売による商品登録を完了し、特別販売フラグに０を代入してリセットしたＰＯＳレジスタ２は、まとめ売り（特別販売）による登録処理を完了したら、ＰＯＳレジスタ２は、ステップs512に進んで、販売員ｎによって小計キーの操作がなされたか否かを判断する。
【０１３２】
ステップs512において、ＰＯＳレジスタ２は、販売員ｎによって小計キー５１１の操作がされたと判断したら、ステップs513に進んで、一取引における商品の登録を完了し、登録した商品の合計金額を算出する。その後、現計キー等の操作によって顧客から受け取った現金やクレジットカード等の決済手段に応じた決済処理を行い、処理を終了する。
【０１３３】
以上の実施形態において、前記所定の割引率は、季節など時期的なセール等によって設定されていてもよい。
また、商品の登録に際して、販売員ｎによる販売員ＩＤを入力することで、各販売員による特別販売の情報を集計して記憶可能とすることもできる。
それによって、各販売員が、どのような商品に対してどの程度の割引率で販売したのか、また、顧客がどのような割引を求めているのかを把握することができ、セール等におけるまとめ商品の設定や、割引率の設定に利用することができる。
【０１３４】
以上、本発明の実施形態について、図面を参照して説明したが、具体的な構成はこの実施形態に限られるものではない。
例えば、特別販売の対象商品の設定の方法や、特別販売価格の指定の方法についても何ら限定されるものではない。また、商品の特別販売設定する価格についても、内税でも外税でもよい。
【０１３５】
なお、上記説明では、第１ないし第４の実施形態のＰＯＳレジスタ２が備えるのはいずれも特別販売キー５１２として、説明したが、第１ないし第４の実施形態のＰＯＳレジスタ２の特別販売キーをそれぞれ異なる名称にして、複数のキーを併設するようにしてもよく、すなわち第１から第４の実施形態のすべてもしくは一部の機能を有するように構成してもよい。また、特別販売キー等は、機械式のキーにしてもよく、操作手段については何ら限定されるものではない。
【符号の説明】
【０１３６】
２        ：ＰＯＳレジスタ
２０１    ：商品販売制御手段
２０２    ：特別販売設定手段
２０３    ：特別販売価格指定手段
２０４    ：特別販売禁止手段
２１１    ：割引率記憶手段
４００    ：割引率テーブル
Ｋｎ      ：割引率
Ｍ        ：特別販売価格
Ｓ        ：合計金額
ｆ        ：特別販売フラグ
ｎ        ：販売員
【図１】
2019117468.tif 000003
【図２】
2019117468.tif 000004
【図３】
2019117468.tif 000005
【図４】
2019117468.tif 000006
【図５】
2019117468.tif 000007
【図６】
2019117468.tif 000008
【図７】
2019117468.tif 000009
【図８】
2019117468.tif 000010
【図９】
2019117468.tif 000011
【図１０】
2019117468.tif 000012
【図１１】
2019117468.tif 000013
【図１２】
2019117468.tif 000014
【図１３】
2019117468.tif 000015
【図１４】
2019117468.tif 000016
【図１５】
2019117468.tif 000017
【図１６】
2019117468.tif 000018
【図１７】
2019117468.tif 000019
【図１８】
2019117468.tif 000020
【図１９】
2019117468.tif 000021